(57)【要約】      （修正有）【課題】金属製カトラッカと木製カトラッカの２本のカトラッカを１台の研磨機の左側に両方を備え、研磨技術の修得向上と熟練研磨工も研磨技術が促進され訓練生の指導が容易となる宝石類研磨研磨カトラッカを提供する。【解決手段】訓練生用の新たな金属製カトラッカ３Ａは、金属製カトラッカ上下回転軸３Ｂで、研磨盤６と研磨面の基点を定め、金属製カトラッカ角度調整分度器板３Ｄで、研磨盤と研磨面の角度を調整して使用する。金属製カトラッカと木製カトラッカ４Ｂの２本のカトラッカを併用して、研磨技術の修得向上が容易となり、熟練研磨工も研磨技術が促進され訓練生の指導が容易となる研磨カトラッカであり、２本の研磨カトラッカを１台の研磨機に設置する。【選択図】図１
2020175497.tif 000002
【特許請求の範囲】
【請求項１】
金属製カトラッカに、３Ｇの角度調整分度器板開口を有し、３Ｇの開口内に、３Ｄの角度調整分度器板を挟み込み、素材の研磨面の角度を適正に調整する分度器の機能を有し、木製カトラッカに、５Ｈの木製カネタ棒受け垂直穴を有することで、研磨素材のテーブル部分を正確に、水平に研磨することができる。
新しい機能を有する木製カトラッカと共に２本のカトラッカを１本の主軸に組み込み併用する新たな研磨カトラッカとなる。新たな木製カトラッカの併用により、研磨技術の修得向上が促進、容易となり、熟練研磨工も研磨技術が促進され訓練生の指導が容易となる研磨カトラッカであり、２本の研磨カトラッカを１台の研磨機に備える、宝石類研磨カトラッカ装置である。
【発明の詳細な説明】
【詳細】
技術分野
背景技術
発明が解決しようとする課題
課題を解決するための手段
発明を実施するための最良の形態
発明の効果
図面の簡単な説明
【技術分野】
【０００１】  この発明は、宝石類・鉱石・樹木・合成樹脂等を研磨するため、公知の金属製カトラッカ及び、公知の木製カトラッカのカトラッカを新に改良し、両方のカトラッカを主軸に組込み、金属製カトラッカを使用する時には、木製カトラッカを下に収納し、木製カトラッカを使用する時には、金属製カトラッカを下に収納することで、訓練生用に新たな機能を有する金属製カトラッカと熟練研磨工用に、新たな機能を有する木製カトラッカを併用する研磨カトラッカ装置に関する。
【背景技術】
【０００２】  従来の金属製カトラッカと木製カトラッカは公知である。本発明は、金属製カトラッカを新たな機能、木製カトラッカにあらたな機能を有する２本のカトラッカを１台の研磨機の左側に両方を備えた研磨カトラッカとする。【０００３】  金属製カトラッカは、３Ｄ金属製カトラッカ角度調整分度器板、３Ｅ金属製カトラッカ角度調整分度器板ストッパー、３Ｆ金属製カトラッカ角度調整分度器板締めネジ、３Ｇ金属製カトラッカ角度調整分度器板開口を付加して改善する。【０００４】  木製カトラッカは、５の木製カネタ受け板、５Ａ木製カネタ受け板接続板、５Ｂ木製カネタ受け板角度調整金具、５Ｃ木製カネタ受け板上下調整金具、５Ｄ木製カネタ受け板上下調整金具締めネジ、５Ｅ木製カネタ棒先端、５Ｆ止めネジ、５Ｇ木製カネタ棒受け穴、５Ｈ木製カネタ棒受け垂直穴を付加する。【０００５】  金属製カトラッカと木製カトラッカの２本を取り付ける、２主軸１に取り付けた高低調整と左右３６０度回転板、２Ａ高低調整、左右回転カトラッカ組み込み板開口、２Ｂカトラッカ組み込み軸、２Ｃ高低調整、左右回転カトラッカ組み込み板締めネジ、２Ｄ高低調整、左右回転カトラッカ組み込み板主軸止めネジにより、２本のカトラッカを１台の研磨機に設置する。【０００６】  研磨カトラッカの主軸図１・図２・図３・図４・各図面の１は、１Ａ主軸台座、１Ｂ主軸キャップ、１Ｃ主軸台座止め、１Ｄ主軸台座はめ込み金具、１Ｅ主軸台座はめ込み金具底板、１Ｆ主軸台座はめ込み金具止め、により、研磨機に取り付と取り外しができる。【０００７】  研磨カトラッカ取付主軸の１は、６研磨盤、６Ａ研磨盤主軸、を有する６Ｂ研磨台の左側に設置して使用する。【０００８】  天然原石の研磨研修は、長期間の訓練が必要であり、宝石類研磨カトラッカは、２種類の金属製カトラッカと木製カトラッカの使用には、別々の研磨機を必要としてきた問題点があり、精度を損なわずに新しい機能を有する金属製カトラッカと木製カトラッカを図１−１の主軸に取り付けた２の高低調整と左右３６０度回転板に、２種類の新たな金属製カトラッカと木製カトラッカの２本を組み込み併用して使用することで、訓練生用の新たな金属製カトラッカは、視力と両手に障害がなければ、誰もが長期間の訓練を要せずに、各種の素材研磨設計図の手順に従い、素材研磨の精度を損なわずに研磨技術を向上促進する。
【先行技術文献】
【０００９】
【特許文献】
【特許文献】「宝石研磨装置」出願番号２０００−２１１４４７公開２００２−０２８８４１  未審査  発明者（旧姓  保坂靖夫）  松永靖夫
【００１０】
【非特許文献】
【非特許文献】「ブラジルの宝石ルーツ探訪」著者  永井竜造（松永靖夫）
【発明の概要】
【発明が解決しようとする課題】
【００１１】  ダイヤモンドを１０度とする、モースの硬度９度以下の宝石類の原石等を研磨仕上げするためには、個別に天然原石の状態を見定めて設計する必要があり、天然石の大小サイズ・石ひび割れ・内包物・色彩・輝き・石目位置・スター位置・研磨歩止まり・産出地の特質等の設計配慮とカトラッカ使用の研磨工程に熟練を要している。天然原石の設計は、専門知識を修得する事で可能だが、研磨工程には、上記に長期間の訓練が必要であるが、天然石以外の研磨素材が均一な人造素材・合成樹脂・木・ガラス・陶器等は機械・ロボット生産が可能だが、天然石は、希少価値がある故に手作業の研磨となる。本発明は、公知の宝石類研磨カトラッカは、２種類が別々の研磨機を必要としてきた問題点があり、公知である金属製カトラッカの精度を損なわずに新しい機能を有する金属製カトラッカとして、訓練期間を短縮できる改善をすると共に研磨熟練工が使用する公知の木製カトラッカは、研磨素材のテーブル部分の研磨を研磨工の視力判断で木製カトラッカを使用してきた問題点があり、新しい機能を有する木製カトラッカに垂直穴を追加した２本を１本の主軸に研磨カトラッカを組み込み併用できる新たなカトラッカの開発が課題である。
【課題を解決するための手段】
【００１２】  上記の課題を解決するため、この発明の宝石研磨カトラッカ装置は、研磨訓練用の新たな金属製カトラッカと熟練研磨工が使用する新たな木製カトラッカの両方を１本の主軸に２本のカトラッカに組み込むことで、訓練生が同じ研磨機で熟練研磨工、レベルの訓練を実施する機会を増やすことができ、同じ研磨機で、熟練研磨工から訓練生が、直接研磨技術の指導をその場で受けることを容易にした。【００１３】  金属製カトラッカと木製カトラッカの両方を組み込むと、金属製カトラッカの使用時には、木製カトラッカが不要となり、木製カトラッカの使用時には、金属製カトラッカが不要となり、研磨作業の邪魔になる。この問題点を解決するため、図２に示すように、２本のカトラッカを１の主軸に下げて収納し、研磨使用時には、使用するカトラッカだけを取り出して研磨作業に使用することができる。【００１４】  金属製カトラッカと木製カトラッカの２本のカトラッカを図２の３Ｃに示す金属製カトラッカ・木製カトラッカ受け板に組み込むことで研磨訓練と順次、随時に、熟練研磨技術を修得することができる即ち、訓練生に研磨技術の修得の機会が拡大され、同じ研磨機で、移動しないで研磨技術を修得でき、研磨指導工が訓練生を指導しやすくなり、訓練生も研磨指導者から同じ位置で研磨技術を修得しやすくなる。【００１５】  研磨カトラッカは、図１の１に示すカトラッカ主軸に、図２の３Ｃに示す金属製カトラッカ・木製カトラッカ受け板が上下調整できるので高低を２の主軸１に取り付けた高低調整と左右３６０度回転板２を２Ｃで締めて、研磨盤に合わせて調整使用する。【００１６】  金属製カトラッカは、図１−図２−図３に示すように、２Ｂカトラッカ組み込み軸に取付る。３Ｐは、金属製カトラッカを３６０度回転させる。３Ｋは、金属製カトラッカ軸であり、３Ｇは、金属製カトラッカ角度調整分度器板の開口で、３Ｅの金属製カトラッカ角度調整分度器板ストッパー３Ｆを金属製カトラッカ角度調整分度器板締めて３Ｄの金属製カトラッカ角度調整分度器板を組み込み、３Ｍの接続ネジ棒で、３Ｈの金属カネタ棒を取り付けて、３Ｉの研磨素材を研磨する。【００１７】  木製カトラッカは、図１−図２−図３に示すよう、３Ｃの２Ａ軸に取り付けられる．４の木製カネタ伸縮板は、３の木製カトラッカ伸縮板収納筒に、使用部分以外は、収納される。使用部分は、３Ｏの木製カネタ伸縮板ネジで絞めて使用し、５Ｃの木製カネタ受け板上下調整金具を５Ｄ木製カネタ受け板上下調整金具ネジで締めて、５Ａの木製カネタ受け板接続板の角度を調整して使用する。【００１８】  研磨カトラッカ１のカトラッカ主軸の１Ａ、主軸台座は、１Ｄの主軸台座はめ込み金具に、１Ｆ主軸台座はめ込み金具止めで固定し、研磨カトラッカの取付、取り外しを容易にし、訓練生が、カトラッカを所持することが可能である。
【発明を実施するための最良の形態】
【００１９】  次に、この発明を実施する形態を添付図面に基づき詳細に説明する。図１−１のカトラッカ取付主軸を図５−６Ｂの研磨機の左側に図５−１Ｄの主軸台座はめ込み金具に差し込み設置する。【００２０】  カトラッカ取り付主軸図１−１に設置した、２に、取り付けた高低調整と左右３６０度回転板により、６の左回転の研磨盤に適合するために、２により、カトラッカの方向を決定し、次に、２により、カトラッカの高低を定める。【００２１】  次に、図２に示すように、金属製カトラッカと木製カトラッカは、カトラッカ使用時以外は、カトラッカ取り付主軸、図１−１の下に収納する。【００２２】  ３Ａの金属製カトラッカを使用する時には、４Ｂの木製カトラッカを、カトラッカ取り付主軸、図１−１の下に収納する。【００２３】  ４Ｂの木製カトラッカを使用する時には、３Ａの金属製カトラッカを、カトラッカ取り付主軸、図１−１の下に収納する。【００２４】  ３Ａの金属製カトラッカは、３Ｂの金属製カトラッカ上下回転軸で、６の研磨盤と研磨面の基点を定め、３Ｄの金属製カトラッカ角度調整分度器板で、６の研磨盤と研磨面の角度を調整して使用する。このために、３Ｅの金属製カトラッカ角度調整分度器板ストッパー、３Ｆの金属製カトラッカ角度調整分度器板締めネジ、３Ｇの金属製カトラッカ角度調整分度器板開口を設置した。３Ｉの研磨素材を３Ｈの金属カネタ棒に糊接着し研磨する。【００２５】  ４Ｂの木製カトラッカは、３の木製カトラッカ伸縮板、４の木製カネタ伸縮板、４Ａの木製カトラッカ伸縮板外側筒、４Ｂの木製カトラッカ、５の木製カネタ受け板、５Ａの木製カネタ受け板接続板、５Ｂの木製カネタ受け板角度調整金具、５Ｃの木製カネタ受け板上下調整金具、５Ｄの木製カネタ受け板上下調整金具締めネジ、５Ｅの木製カネタ棒先端、５Ｆの止めネジ、５Ｇの木製カネタ棒受け穴、５Ｈの木製カネタ棒受け垂直穴を設置した。【００２６】  ３Ａの金属製カトラッカと４Ｂの木製カトラッカは、研磨作業者が左手で研磨し、右手で３Ｉの研磨素材を拭き、研磨状態を確認しながら使用する。
【発明の効果】
【００２７】  本発明においては、以上説明したように、訓練生用の新たな金属製カトラッカは、視力と両手に障害が無ければ、誰もが長期間の訓練を要せずに、各種の研磨設計図の手順に従い、素材研磨の精度を損なわずに研磨でき、且つ研磨技術の修得期間を短縮することができる。更に、新たな木製カトラッカの併用により、研磨技術の修得向上が容易となり、熟練研磨工も研磨技術が促進され訓練生の指導が容易となる研磨カトラッカであり、２本の研磨カトラッカを１台の研磨機に設置する事例はない、新たな研磨カトラッカを備えた研磨機となる。
【図面の簡単な説明】
【００２８】
【図１】研摩カトラッカ装置の断面図
【図２】２本の研摩カトラッカ収納時の断面図
【図３】金属製カトラッカ使用時の断面図
【図４】木製カトラッカ使用時の断面図
【図５】カトラッカ取付主軸の台座・平面図・側面図
【符号の説明】
【００２９】１    カトラッカ主軸
１Ａ  主軸台座
１Ｂ  主軸キャップ
１Ｃ  主軸台座止め
１Ｄ  主軸台座はめ込み金具
１Ｅ  主軸台座はめ込み金具底板
１Ｆ  主軸台座はめ込み金具止め
２    主軸１に取り付けた高低調整と左右３６０度回転板
２Ａ  高低調整、左右回転カトラッカ組み込み板開口
２Ｂ  カトラッカ組み込み軸
２Ｃ  高低調整、左右回転カトラッカ組み込み板締めネジ
２Ｄ  高低調整、左右回転カトラッカ組み込み板主軸止めネジ
２Ｅ  金属製カトラッカ伸縮板
３    木製カトラッカ伸縮板
３Ａ  金属製カトラッカ
３Ｂ  金属製カトラッカ上下回転軸
３Ｃ  金属製カトラッカ・木製カトラッカ受け板
３Ｄ  金属製カトラッカ角度調整分度器板
３Ｅ  金属製カトラッカ角度調整分度器板ストッパー
３Ｆ  金属製カトラッカ角度調整分度器板締めネジ、
３Ｇ  金属製カトラッカ角度調整分度器板開口
３Ｈ  金属カネタ棒
３Ｉ  研磨素材
３Ｊ  金属製カトラッカ角度調整分度器水平板
３Ｋ  金属製カトラッカ軸
３Ｌ  金属カネタ取付締め金具
３Ｍ  接続ネジ棒
３Ｎ  金属カネタ受け開口
３Ｏ  木製カネタ伸縮板締めネジ
３Ｐ  金属カネタ回転軸
４    木製カネタ伸縮板
４Ａ  木製カトラッカ伸縮板外側筒
４Ｂ  木製カトラッカ
５    木製カネタ受け板
５Ａ  木製カネタ受け板接続板
５Ｂ  木製カネタ受け板角度調整金具
５Ｃ  木製カネタ受け板上下調整金具
５Ｄ  木製カネタ受け板上下調整金具締めネジ
５Ｅ  木製カネタ棒先端
５Ｆ  止めネジ
５Ｇ  木製カネタ棒受け穴
５Ｈ  木製カネタ棒受け垂直穴
６    研磨盤
６Ａ  研磨盤主軸
６Ｂ  研磨台
【図１】
2020175497.tif 000003
【図２】
2020175497.tif 000004
【図３】
2020175497.tif 000005
【図４】
2020175497.tif 000006
【図５】
2020175497.tif 000007